(57)【要約】  【課題】  番組表情報を外部から新たに取得しなくても新たな番組表情報を用意することができる放送受信装置を提供する。  【解決手段】  地上波デジタル放送受信装置１０は、番組のシリーズに関する情報であるシリーズ記述子を含むＥＰＧデータを外部から取得するアンテナ１１及びデジタル放送受信部１２と、ＥＰＧデータを記憶するとともにＥＰＧデータ内のシリーズ記述子に基づいて新たなＥＰＧデータを生成するＥＰＧデータ記憶生成部１４とを備える。【選択図】  図１
2005252852.tif 000002
【特許請求の範囲】
【請求項１】
番組のシリーズに関する情報であるシリーズ情報を含む番組表情報を記憶する番組表記憶手段と、前記番組表情報内の前記シリーズ情報に基づいて新たな番組表情報を生成する番組表生成手段とを備えたことを特徴とする放送受信装置。
【請求項２】
前記番組表情報を外部から取得する番組表取得手段を備え、
前記番組表記憶手段は、前記番組表生成手段によって生成された前記番組表情報と同時期の番組表情報を前記番組表取得手段が取得したときに、前記番組表生成手段によって生成された前記番組表情報を前記番組表取得手段によって取得された前記番組表情報によって更新することを特徴とする請求項１に記載の放送受信装置。
【請求項３】
位置情報を取得する位置取得手段と、前記番組表情報を表示する番組表表示手段と、前記番組表記憶手段によって記憶された前記番組表情報のうち前記番組表表示手段に表示させる番組表情報を前記位置情報に基づいて選択する番組表選択手段とを備えたことを特徴とする請求項１に記載の放送受信装置。
【請求項４】
前記位置取得手段は現在位置の前記位置情報を取得することを特徴とする請求項３に記載の放送受信装置。
【発明の詳細な説明】
【技術分野】
【０００１】
本発明は、放送を受信する放送受信装置に関するものである。
【背景技術】
【０００２】
従来の放送受信装置としては、番組表情報を外部から取得するものが知られている（例えば特許文献１参照。）。
【特許文献１】特開２００２−１０１４０５号公報（第３頁、第１図）
【発明の開示】
【発明が解決しようとする課題】
【０００３】
しかしながら、従来の放送受信装置においては、外部から取得した番組表情報よりも将来の番組表情報が必要になったときには、番組表情報を外部から新たに取得しなければならないという問題があった。
【０００４】
本発明は、従来の問題を解決するためになされたもので、番組表情報を外部から新たに取得しなくても新たな番組表情報を用意することができる放送受信装置を提供することを目的とする。
【課題を解決するための手段】
【０００５】
本発明の放送受信装置は、番組のシリーズに関する情報であるシリーズ情報を含む番組表情報を記憶する番組表記憶手段と、前記番組表情報内の前記シリーズ情報に基づいて新たな番組表情報を生成する番組表生成手段とを備えた構成を有している。
【０００６】
この構成により、本発明の放送受信装置は、番組表情報内のシリーズ情報に基づいて擬似的な新たな番組表情報を生成するので、番組表情報を外部から新たに取得しなくても新たな番組表情報を用意することができる。
【０００７】
また、本発明の放送受信装置は、前記番組表情報を外部から取得する番組表取得手段を備え、前記番組表記憶手段は、前記番組表生成手段によって生成された前記番組表情報と同時期の番組表情報を前記番組表取得手段が取得したときに、前記番組表生成手段によって生成された前記番組表情報を前記番組表取得手段によって取得された前記番組表情報によって更新する構成を有している。
【０００８】
この構成により、本発明の放送受信装置は、シリーズ情報に基づいて生成した擬似的な番組表情報を外部から新たに取得した番組表情報によって更新するので、より詳細な番組表情報を用意することができる。
【０００９】
また、本発明の放送受信装置は、位置情報を取得する位置取得手段と、前記番組表情報を表示する番組表表示手段と、前記番組表記憶手段によって記憶された前記番組表情報のうち前記番組表表示手段に表示させる番組表情報を前記位置情報に基づいて選択する番組表選択手段とを備えた構成を有している。
【００１０】
この構成により、本発明の放送受信装置は、取得した位置情報に対応する番組表情報を表示することができるので、記憶している全ての番組表情報を表示する場合と比較して、利用者による利用し易さを向上することができる。
【００１１】
また、本発明の放送受信装置は、前記位置取得手段は現在位置の前記位置情報を取得する構成を有している。
【００１２】
この構成により、本発明の放送受信装置は、現在視聴可能な番組の一覧を表示することができ、利用者による利用し易さを更に向上することができる。
【発明の効果】
【００１３】
本発明は、番組表情報を外部から新たに取得しなくても新たな番組表情報を用意することができる放送受信装置を提供することができるものである。
【発明を実施するための最良の形態】
【００１４】
以下、本発明の一実施の形態について、図面を用いて説明する。
【００１５】
まず、本実施の形態に係る放送受信装置の構成について説明する。
【００１６】
図１に示すように、本実施の形態に係る放送受信装置としての地上波デジタル放送受信装置１０は、地上波デジタル放送の放送波を受信するアンテナ１１と、アンテナ１１によって受信された放送波を映像信号、音声信号及びデータ信号に復調するデジタル放送受信部１２と、デジタル放送受信部１２によって復調されたデータ信号上のデータを記憶するデータ記憶部１３と、番組表情報としてのＥＰＧ（Ｅｌｅｃｔｒｏｎｉｃ  Ｐｒｏｇｒａｍ  Ｇｕｉｄｅ）データを記憶するとともに新たなＥＰＧデータを生成する番組表記憶手段及び番組表生成手段としてのＥＰＧデータ記憶生成部１４と、地域毎の放送局を記憶する地域別放送局記憶部１５と、利用者によって種々の指示が入力される入力部１６と、画像を表示する表示部１７と、音声を出力するスピーカ１８と、デジタル放送受信部１２、データ記憶部１３、ＥＰＧデータ記憶生成部１４及び地域別放送局記憶部１５の動作を制御する制御部１９とを備えており、自動車やバス等の移動体に搭載されている。
【００１７】
ここで、デジタル放送受信部１２によって復調されたデータ信号中には、ＥＰＧデータが含まれている。即ち、アンテナ１１及びデジタル放送受信部１２は、ＥＰＧデータを外部から取得する番組表取得手段を構成している。なお、本実施の形態においては、ＥＰＧデータは、７日先のものまでしか受信できないものとする。
【００１８】
また、入力部１６は、利用者によって位置情報が入力されるようになっており、位置情報を取得する位置取得手段を構成している。
【００１９】
また、表示部１７は、図２に示すようにＥＰＧデータを表示するようになっており、番組表表示手段を構成している。
【００２０】
また、制御部１９は、ＥＰＧデータ記憶生成部１４によって記憶されたＥＰＧデータのうち表示部１７に表示させるＥＰＧデータを入力部１６によって入力された位置情報に基づいて選択するようになっており、番組表選択手段を構成している。
【００２１】
また、ＥＰＧデータには、番組のシリーズに関する情報であるシリーズ情報としてのシリーズ記述子が含まれている。シリーズ記述子とは、ＳＩ（Ｓｅｒｖｉｃｅ  Ｉｎｆｏｒｍａｔｉｏｎ）で使用される記述子であり、各放送業者が放送波上で送信しているものである。例えば、シリーズ記述子は、図３に示すように、シリーズ内の話数を示すｅｐｉｓｏｄｅ＿ｎｕｍｂｅｒ、シリーズの番組総数を示すｌａｓｔ＿ｅｐｉｓｏｄｅ＿ｎｕｍｂｅｒ、シリーズの編成パターンを示すｐｒｏｇｒａｍ＿ｐａｔｔｅｒｎ、シリーズの有効期限を示すｅｘｐｉｒｅ＿ｄａｔｅ等を含んで番組毎に生成された情報である。ここで、ニュース等の連続番組は、ｅｐｉｓｏｄｅ＿ｎｕｍｂｅｒ、ｌａｓｔ＿ｅｐｉｓｏｄｅ＿ｎｕｍｂｅｒ及びｅｘｐｉｒｅ＿ｄａｔｅが定義できないので、ｅｐｉｓｏｄｅ＿ｎｕｍｂｅｒ及びｌａｓｔ＿ｅｐｉｓｏｄｅ＿ｎｕｍｂｅｒが“０”になっており、ｅｘｐｉｒｅ＿ｄａｔｅが“＊＊＊＊＊＊＊＊＊＊”になっている。また、不定期に放送される番組、毎日放送される番組、毎週１回放送される番組のｐｒｏｇｒａｍ＿ｐａｔｔｅｒｎは、それぞれ“０”、“１”、“２”になっている。
【００２２】
次に、地上波デジタル放送受信装置１０の動作について説明する。
【００２３】
利用者が表示部１７へのＥＰＧデータの表示を入力部１６への操作によって要求すると、制御部１９は、入力部１６を介して利用者によって指示された位置情報に基づいて、利用者によって指示された位置で受信可能な放送局を地域別放送局記憶部１５から取得する。
【００２４】
次いで、制御部１９は、地域別放送局記憶部１５から取得した放送局に基づいて、利用者によって指示された位置で受信可能な放送局のＥＰＧデータをＥＰＧデータ記憶生成部１４から取得する。
【００２５】
次いで、制御部１９は、ＥＰＧデータ記憶生成部１４から取得したＥＰＧデータを表示部１７に表示する。
【００２６】
そして、利用者が表示部１７に表示されたＥＰＧデータを利用して視聴したい放送局を選択すると、制御部１９は、利用者によって選択された放送局をデジタル放送受信部１２に指示する。
【００２７】
制御部１９が放送局をデジタル放送受信部１２に指示すると、デジタル放送受信部１２は、アンテナ１１によって受信された地上波デジタル放送の放送波のうち制御部１９によって指示された放送局の放送波を、映像信号、音声信号及びデータ信号に復調する。
【００２８】
デジタル放送受信部１２が放送波を映像信号、音声信号及びデータ信号に復調すると、デジタル放送受信部１２によって復調された映像信号は、表示部１７に映像として表示される。また、デジタル放送受信部１２によって復調された音声信号は、スピーカ１８から音声として出力される。また、デジタル放送受信部１２によって復調されたデータ信号上のデータは、データ記憶部１３によって記憶される。
【００２９】
また、制御部１９は、データ記憶部１３に記憶されたデータの中からＥＰＧデータを取り出し、取り出したＥＰＧデータをＥＰＧデータ記憶生成部１４に記憶させる。
【００３０】
ＥＰＧデータ記憶生成部１４は、制御部１９からの指示に応じて、現在記憶しているＥＰＧデータよりも将来のＥＰＧデータを、現在記憶しているＥＰＧデータ内のシリーズ記述子に基づいて生成する。
【００３１】
例えば、ＥＰＧデータ記憶生成部１４が本日（２００３／３／３１）のＥＰＧデータ（図２（ａ）参照。）を記憶しており、本日のＥＰＧデータが図３に示すシリーズ記述子を含む場合、ＥＰＧデータ記憶生成部１４は、本日のＥＰＧデータよりも将来のＥＰＧデータ（例えば２週間先のＥＰＧデータ（図２（ｂ）参照。））を本日のＥＰＧデータ内のシリーズ記述子に基づいて生成することができる。即ち、ＥＰＧデータ記憶生成部１４は、ニュース番組Ｄ及びニュース番組Ｆが毎日放送される有効期限が定められていない連続番組であって２週間先も放送される予定であること、ドラマ番組Ｅ、教養番組Ｊ、ニュース番組Ｋ、報道番組Ｌ及びドラマ番組Ｍが毎週１回放送される番組であって２週間先も放送される予定であること、料理番組Ｇ、工作番組Ｈ及び趣味番組Ｉが不定期に放送される番組であって２週間先も放送されるか否かは不明であることを図３に示すシリーズ記述子に基づいて判断し、ニュース番組Ｄ、ドラマ番組Ｅ、ニュース番組Ｆ、教養番組Ｊ、ニュース番組Ｋ、報道番組Ｌ及びドラマ番組Ｍを含み料理番組Ｇ、工作番組Ｈ及び趣味番組Ｉを含まないＥＰＧデータを２週間先のＥＰＧデータとして生成する。また、本日のＥＰＧデータ内のシリーズ記述子に基づいて将来の番組の内容を判断することはできないので、ＥＰＧデータ記憶生成部１４は、番組の内容を含まないＥＰＧデータを２週間先のＥＰＧデータとして生成する。
【００３２】
また、ＥＰＧデータ記憶生成部１４は、自らが生成したＥＰＧデータと同時期のＥＰＧデータがアンテナ１１及びデジタル放送受信部１２によって取得されたときに、自らが生成したＥＰＧデータをアンテナ１１及びデジタル放送受信部１２によって取得された新たなＥＰＧデータによって更新する。
【００３３】
以上に説明したように、地上波デジタル放送受信装置１０は、ＥＰＧデータ内のシリーズ記述子に基づいて擬似的な新たなＥＰＧデータを生成するので、ＥＰＧデータを外部から新たに取得しなくても新たなＥＰＧデータを用意することができる。例えば、地上波デジタル放送受信装置１０は、ＥＰＧデータ記憶生成部１４が記憶していたＥＰＧデータが７日先のものまでしかない場合でも、ＥＰＧデータ記憶生成部１４によって８日先以降のＥＰＧデータを生成することができ、８日先以降のＥＰＧデータを表示部１７によって表示することができる。
【００３４】
また、地上波デジタル放送受信装置１０は、シリーズ記述子に基づいて生成した擬似的なＥＰＧデータを外部から新たに取得したＥＰＧデータによって更新するので、より詳細なＥＰＧデータを用意することができる。したがって、利用者は、例えば、シリーズ記述子に基づいて生成した擬似的なＥＰＧデータでは現れない単発の特別番組等を新たに認識することができるようになる。
【００３５】
また、地上波デジタル放送受信装置１０は、取得した位置情報に対応するＥＰＧデータを表示することができるので、記憶している全てのＥＰＧデータを表示する場合と比較して、利用者による利用し易さを向上することができる。なお、地上波デジタル放送受信装置１０は、入力部１６によって位置取得手段を構成しているが、入力部１６以外のものによって位置取得手段を構成していても良い。例えば、位置取得手段は、ＧＰＳ（Ｇｌｏｂａｌ  Ｐｏｓｉｔｉｏｎｉｎｇ  Ｓｙｓｔｅｍ）を利用して現在位置の位置情報を取得するものであっても良い。位置取得手段が現在位置の位置情報を取得するものである場合、地上波デジタル放送受信装置１０は、現在視聴可能な番組の一覧を表示することができ、利用者による利用し易さを更に向上することができる。
【００３６】
なお、地上波デジタル放送受信装置１０は、アンテナ１１及びデジタル放送受信部１２によって番組表取得手段を構成しているが、アンテナ１１及びデジタル放送受信部１２以外のものによって番組表取得手段を構成していても良い。例えば、番組表取得手段は、インターネット等から取り込んだＥＰＧデータを外部媒体や無線ＬＡＮ（Ｌｏｃａｌ  Ａｒｅａ  Ｎｅｔｗｏｒｋ）等を介して取得するものであっても良い。
【００３７】
また、番組表情報を含む放送であれば、地上波デジタル放送以外の放送を用いて受信装置を構成しても良い。
【産業上の利用可能性】
【００３８】
以上のように、本発明に係る放送受信装置は、番組表情報を外部から新たに取得しなくても新たな番組表情報を用意することができるという効果を有し、地上波デジタル放送受信装置等として有用である。
【図面の簡単な説明】
【００３９】
【図１】本発明の一実施の形態に係る地上波デジタル放送受信装置の構成を示すブロック図
【図２】（ａ）図１に示す表示部に表示される本日のＥＰＧデータを示す図  （ｂ）図１に示す表示部に表示される２週間先のＥＰＧデータを示す図
【図３】図２（ａ）に示すＥＰＧデータ内のシリーズ記述子を示す図
【符号の説明】
【００４０】
１０  地上波デジタル放送受信装置（放送受信装置）
１１  アンテナ（番組表取得手段）
１２  デジタル放送受信部（番組表取得手段）
１４  ＥＰＧデータ記憶生成部（番組表記憶手段、番組表生成手段）
１６  入力部（位置取得手段）
１７  表示部（番組表表示手段）
１９  制御部（番組表選択手段）
【図１】
2005252852.tif 000003
【図２】
2005252852.tif 000004
【図３】
2005252852.tif 000005